(57)【要約】【課題】分散して配置された複数の電力系統に対し、系統毎の負荷容量の格差に関わりなくデマンド制御を行う。【解決手段】単位時間ごとの需要電力を計測する需要電力計測手段１１と、目標需要電力を設定する目標電力設定手段１２と、需要電力を予測し予測値が目標需要電力を超える場合にデマンド信号を出力する需要電力予測手段１３と、複数の電力系統毎の需要電力を計測する系統毎需要電力計測手段１４と、系統毎の目標需要電力を設定する系統毎目標電力設定手段１５と、系統毎の需要電力を予測し予測値が系統毎の目標需要電力を超え、かつ、需要電力予測手段がデマンド信号を出力している場合に系統毎のデマンド信号を出力する系統毎需要電力予測手段１６とを備え、需要電力の目標超過が予測される場合に、系統毎の需要電力と目標需要電力とに基づきデマンド制御を行うよう構成する。【選択図】図１
2006166544.tif 000002
【特許請求の範囲】
【請求項１】
単位時間ごとの需要電力を計測する需要電力計測手段と、目標需要電力を設定する目標電力設定手段と、需要電力を予測し予測値が目標需要電力を超える場合にデマンド信号を出力する需要電力予測手段と、複数の電力系統毎の需要電力を計測する系統毎需要電力計測手段と、系統毎の目標需要電力を設定する系統毎目標電力設定手段と、系統毎の需要電力を予測し予測値が系統毎の目標需要電力を超え、かつ、前記需要電力予測手段がデマンド信号を出力している場合に系統毎のデマンド信号を出力する系統毎需要電力予測手段とを備え、需要電力の目標超過が予測される場合に、系統毎の需要電力と目標需要電力とに基づきデマンド制御を行うよう構成したことを特徴とするデマンド監視装置。
【請求項２】
系統毎の目標需要電力の合計を表示する合計表示手段を備えたことを特徴とする、請求項１に記載のデマンド監視装置。
【請求項３】
系統毎の目標需要電力の合計が、目標需要電力を超える場合に警報を発する合計監視手段を備えたことを特徴とする、請求項１〜２のいずれかに記載のデマンド監視装置。
【請求項４】
単位時間ごとに系統毎の目標需要電力の補正値を設定する時別設定手段を備えたことを特徴とする、請求項１〜３のいずれかに記載のデマンド監視装置。
【請求項５】
単位時間ごとの系統毎の需要電力を記憶し表示する系統毎需要電力履歴表示手段を備えたことを特徴とする、請求項１〜４のいずれかに記載のデマンド監視装置。
【請求項６】
単位時間ごとの系統毎の目標需要電力とデマンド信号を記憶し表示する系統毎デマンド履歴表示手段を備えたことを特徴とする、請求項１〜５のいずれかに記載のデマンド監視装置。
【発明の詳細な説明】
【技術分野】
【０００１】
本発明は分散して配置された複数の電力系統に対し、全体の需要電力を抑制するデマンド監視装置に関するものである。
【背景技術】
【０００２】
従来、この種のデマンド監視装置は系統毎の使用電力量にもとづき制御している（例えば、特許文献１参照）。
【０００３】
図７は、特許文献１に記載された従来のデマンド監視装置を示すブロック図である。図７に示すように、分散して配置された負荷群１ａ〜１ｃと、デマンド用電力計２と、制御装置３ａ〜３ｃと、主制御装置４と、操作端末機器５とからなり、全消費電力量の実測値から単位時間の全消費電力を予測し、この予測値にもとづいて全制御電力を求め、負荷群毎の現在の消費している制御可能電力に応じて全制御電力を分配し、各負荷群の負荷を制御するよう構成されている。
【特許文献１】特開昭６１−１３５３３７号公報
【発明の開示】
【発明が解決しようとする課題】
【０００４】
しかしながら、前記従来の構成では、負荷群毎の負荷容量の格差が大きく、運転／停止の負荷が混在している場合に、負荷容量の大きい負荷群にデマンド制御が集中し、負荷群毎のデマンド制御に格差が生じるという課題を有していた。
【０００５】
本発明は、前記従来の課題を解決するもので、負荷群毎の負荷容量の格差が大きい場合にも、格差なくデマンド制御行うデマンド監視装置を提供することを目的とする。
【課題を解決するための手段】
【０００６】
前記従来の課題を解決するために、本発明のデマンド監視装置は、単位時間ごとの需要電力を計測する需要電力計測手段と、目標需要電力を設定する目標電力設定手段と、需要電力を予測し予測値が目標需要電力を超える場合にデマンド信号を出力する需要電力予測手段と、複数の電力系統毎の需要電力を計測する系統毎需要電力計測手段と、系統毎の目標需要電力を設定する系統毎目標電力設定手段と、系統毎の需要電力を予測し予測値が系統毎の目標需要電力を超え、かつ、前記需要電力予測手段がデマンド信号を出力している場合に系統毎のデマンド信号を出力する系統毎需要電力予測手段とで構成したものである。
【０００７】
これによって、目標需要電力に対し、需要電力の超過が予測される場合に、複数の電力系統毎の目標需要電力と、系統毎の需要電力の予測値とで、系統毎にデマンド制御を行うため、系統毎の負荷容量の格差に関わりなくデマンド制御を行う。
【発明の効果】
【０００８】
本発明のデマンド監視装置は、系統毎の負荷容量の格差に大きい場合にも、系統毎に格差なくデマンド制御を行うことができる。
【発明を実施するための最良の形態】
【０００９】
第１の発明は単位時間ごとの需要電力を計測する需要電力計測手段と、目標需要電力を設定する目標電力設定手段と、需要電力を予測し予測値が目標需要電力を超える場合にデマンド信号を出力する需要電力予測手段と、複数の電力系統毎の需要電力を計測する系統
毎需要電力計測手段と、系統毎の目標需要電力を設定する系統毎目標電力設定手段と、系統毎の需要電力を予測し予測値が系統毎の目標需要電力を超え、かつ、前記需要電力予測手段がデマンド信号を出力している場合に系統毎のデマンド信号を出力する系統毎需要電力予測手段とを備え、需要電力の目標超過が予測される場合に、系統毎の需要電力と目標需要電力とに基づきデマンド制御を行うよう構成することにより、系統毎の負荷容量の格差に大きい場合にも、系統毎に格差なくデマンド制御を行うことができる。
【００１０】
第２の発明は、第１の発明のデマンド監視装置に加えて、系統毎の目標需要電力の合計を表示する合計表示手段を備えることにより、全体の目標需要電力と比較しながら系統毎の目標需要電力を設定することができる。
【００１１】
第３の発明は、第１または第２の発明のデマンド監視装置に加えて、系統毎の目標需要電力の合計が、目標需要電力を超える場合に警報を発する合計監視手段を備えることにより、系統毎の目標設定を誤り、結果として全体の需要電力が目標需要電力を超過することを防止することができる。
【００１２】
第４の発明は、第１〜３いずれか１つの発明のデマンド監視装置に加えて、単位時間ごとに系統毎の目標需要電力の補正値を設定する時別設定手段を備えることにより、時間帯別の系統毎の必要電力の格差に応じてデマンド制御を行うことができる。
【００１３】
第５の発明は、第１〜４いずれか１つの発明のデマンド監視装置に加えて、単位時間ごとの系統毎の需要電力を記憶し表示する系統毎需要電力履歴表示手段を備えることにより、全体の需要電力の抑制や省エネに、過去の履歴を活用することができる。
【００１４】
第６の発明は、第１〜５いずれか１つの発明のデマンド監視装置に加えて、単位時間ごとの系統毎の目標需要電力とデマンド信号を記憶し表示する系統毎デマンド履歴表示手段を備えることにより、時間帯別、あるいは、季節別に過去の履歴と比較しながら目標需要電力を設定することができる。
【００１５】
（実施の形態１）
図１は、本発明の第１の実施の形態におけるデマンド監視装置の構成を示すブロック図である。
【００１６】
図１において、単位時間ごとの需要電力を計測する需要電力計測手段１１と、目標需要電力を設定する目標電力設定手段１２と、需要電力を予測し予測値が目標需要電力を超える場合にデマンド信号を出力する需要電力予測手段１３と、複数の電力系統毎の需要電力を計測する系統毎需要電力計測手段１４と、系統毎の目標需要電力を設定する系統毎目標電力設定手段１５と、系統毎の需要電力を予測し予測値が系統毎の目標需要電力を超え、かつ、需要電力予測手段がデマンド信号を出力している場合に系統毎のデマンド信号を出力する系統毎需要電力予測手段１６とを備え、需要電力の目標超過が予測される場合に、系統毎の需要電力と目標需要電力とに基づきデマンド制御を行うよう構成している。
【００１７】
以上のように構成されたデマンド監視装置について以下その動作、作用を説明する。
【００１８】
まず、分散して配置された複数の電力系統に対し、需要電力計測手段１１は単位時間ごとの電力系統全体の需要電力を計測する。
【００１９】
また、目標電力設定手段１２で電力系統全体の目標需要電力を設定する。需要電力予測手段１３は、需要電力計測手段１１の計測値から単位時間終了時の需要電力を予測し、予測値が目標電力設定手段１２の目標需要電力を超過する場合には、デマンド信号を出力す
る。
【００２０】
一方、系統毎需要電力計測手段１４は、単位時間ごとに複数の系統毎の需要電力を計測する。また、系統毎目標電力設定手段１５で複数の系統毎の目標需要電力を設定する。
【００２１】
系統毎需要電力予測手段１６は、系統毎需要電力計測手段１４の計測値から系統毎に単位時間終了時の需要電力を予測し、それぞれの予測値が系統毎目標電力設定手段１５の系統毎の目標需要電力を超過し、かつ、需要電力予測手段１３のデマンド信号がある場合には、超過を予測する系統に対し系統毎のデマンド信号を出力する。
【００２２】
上記一連の動作を、単位時間ごとに繰り返し行い、全体の需要電力の目標超過が予測される場合には、系統毎の需要電力と目標需要電力とに基づきデマンド制御を行うので系統毎の負荷容量の格差に大きい場合にも、系統毎に格差なくデマンド制御を行うことができる。
【００２３】
（実施の形態２）
図２は、本発明の第２の実施の形態の加湿装置の構成を示すブロック図である。
【００２４】
図２において、実施の形態１のデマンド監視装置に加えて、系統毎の目標需要電力の合計を表示する合計表示手段２１を備え構成している。
【００２５】
以上のように構成されたデマンド監視装置について、以下その動作、作用を説明する。なお、実施の形態１と同一の構成については、同一の番号を付与し説明を省略する。
【００２６】
まず、合計表示手段２１は、系統毎目標電力設定手段１５で設定する複数の系統毎の目標需要電力を逐次加算し、その合計を表示する。複数の系統毎の目標需要電力の合計と、全体の目標需要電力とを比較しながら、系統毎の目標需要電力を設定できる。
【００２７】
（実施の形態３）
図３は、本発明の第３の実施の形態のデマンド監視装置の構成を示すブロック図である。
【００２８】
図３において、実施の形態１のデマンド監視装置に加えて、系統毎の目標需要電力の合計が、目標需要電力を超える場合に警報を発する合計監視手段３１を備えている。
【００２９】
以上のように構成されたデマンド監視装置について、以下その動作、作用を説明する。なお、実施の形態１と同一の構成については、同一の番号を付与し説明を省略する。
【００３０】
まず、合計監視手段３１は、系統毎目標電力設定手段１５で設定する複数の系統毎の目標需要電力を逐次加算する。
【００３１】
その合計と全体の目標需要電力とを比較し、合計が全体の目標需要電力を超過する場合は、警報を発し、設定者に通知するので、系統毎の目標設定を誤り、結果として全体の需要電力が目標需要電力を超過することを防止することができる。
【００３２】
（実施の形態４）
図４は、本発明の第４の実施の形態のデマンド監視装置の構成を示すブロック図である。
【００３３】
図４において、実施の形態１のデマンド監視装置に加えて、単位時間ごとに系統毎の目
標需要電力の補正値を設定する時別設定手段４１を備えている。
【００３４】
以上のように構成されたデマンド監視装置について、以下その動作、作用を説明する。なお、実施の形態１と同一の構成については、同一の番号を付与し説明を省略する。
【００３５】
まず、系統毎目標電力設定手段１５で設定する複数の系統毎の目標に対し、時別設定手段４１で、単位時間ごとの目標電力の補正値を系統毎に設定する。
【００３６】
系統毎の目標需要電力は、この補正値により補正されて、単位時間ごとに異なる目標需要電力にもとづきデマンド制御行うので、時間帯別の系統毎の必要電力の格差に応じてデマンド制御を行うことができる。
【００３７】
（実施の形態５）
図５は、本発明の第５の実施の形態の加湿装置の構成を示すブロック図である。
【００３８】
図５において、実施の形態１のデマンド監視装置に加えて、単位時間ごとの系統毎の需要電力を記憶し表示する系統毎需要電力履歴表示手段５１を備えている。
【００３９】
以上のように構成されたデマンド監視装置について、以下その動作、作用を説明する。
【００４０】
なお、実施の形態１と同一の構成については、同一の番号を付与し説明を省略する。
【００４１】
まず、系統毎需要電力履歴表示手段５１は、単位時間ごとの系統毎の需要電力を記憶し、その履歴を表示する。
【００４２】
設定者は、この履歴にもとづき、全体の目標需要電力や系統毎の目標需要電力を設置することができるので、全体の需要電力の抑制や省エネに、過去の履歴を活用することができる。
【００４３】
（実施の形態６）
図６は、本発明の第６の実施の形態のデマンド監視装置の構成を示すブロック図である。
【００４４】
図６において、実施の形態１のデマンド監視装置に加えて、単位時間ごとの系統毎の目標需要電力とデマンド信号を記憶し表示する系統毎デマンド履歴表示手段６１を備えている。
【００４５】
以上のように構成されたデマンド監視装置について、以下その動作、作用を説明する。なお、実施の形態１と同一の構成については、同一の番号を付与し説明を省略する。
【００４６】
まず、系統毎デマンド履歴表示手段６１は、単位時間ごとの系統毎の目標需要電力とデマンド信号を記憶し、その履歴を表示する。
【００４７】
設定者は、この履歴にもとづき、時間帯別、あるいは、季節別に過去の履歴と比較しながら目標需要電力を設定することができる。
【産業上の利用可能性】
【００４８】
以上のように、本発明にかかるデマンド監視装置は、分散して配置された複数の電力系統に対し、全体の需要電力を抑制することができる。
【図面の簡単な説明】
【００４９】
【図１】本発明の実施の形態１におけるデマンド監視装置のブロック図
【図２】本発明の実施の形態２におけるデマンド監視装置のブロック図
【図３】本発明の実施の形態３におけるデマンド監視装置のブロック図
【図４】本発明の実施の形態４におけるデマンド監視装置のブロック図
【図５】本発明の実施の形態５におけるデマンド監視装置のブロック図
【図６】本発明の実施の形態６におけるデマンド監視装置のブロック図
【図７】従来のデマンド監視装置のブロック図
【符号の説明】
【００５０】
１１  需要電力計測手段
１２  目標電力設定手段
１３  需要電力予測手段
１４  系統毎需要電力計測手段
１５  系統毎目標電力設定手段
１６  系統毎需要電力予測手段
【図１】
2006166544.tif 000003
【図２】
2006166544.tif 000004
【図３】
2006166544.tif 000005
【図４】
2006166544.tif 000006
【図５】
2006166544.tif 000007
【図６】
2006166544.tif 000008
【図７】
2006166544.tif 000009